(57)【要約】【課題】  本発明は、靴や足元の香りのお洒落を楽しむために、履いている間も、香りが混ざることのない芳香効果を発揮し、シチュエーションに合わせて簡単に香りを交換することが出来、尚且つ靴のデザインを損ねることがない方法で設置が可能な靴用香水シート取付け具を得ることにある。【解決手段】  シート差込み穴、シート設置スペース、シート取出し補助凹み、香り通し穴、スニーカー取付け用フック、靴裏面接着用テープを設けたシート挿入ケースおよび香り付けシートとで靴用香水シート取付け具を構成している。【選択図】      図１
2011062266.tif 000002
【特許請求の範囲】
【請求項１】
シート差込み穴、シート設置スペース、シート取出し補助凹み、香り通し穴、スニーカー取付け用フック、靴裏面接着用テープを設けたシート挿入ケースと香り付けシートで構成され、スニーカーの靴紐、サンダルおよびビジネス靴等の靴裏面に取り付ける機能を有した、靴用香水シート取付け具。
【発明の詳細な説明】
【技術分野】
【０００１】
本発明は、靴からお好みの香りを放つための靴用香水シート取付け具に関する。
【背景技術】
【０００２】
香水は、お洒落を楽しむ多くの人に支持されている。  また、靴のデザインは多岐にわたり、話題は尽きない。  しかし、靴の香りについての提案は少なかった。
【０００３】
靴、足の臭いについては、中敷に代表されるように、多くの消臭、防臭提案がなされてきた。  その中に、芳香効果付きのものもある。  しかし、これらは付属機能の一部で、足元の臭いを抑えることが主目的であることに変わりはない。  靴の中敷が芳香を目的とした分野として広がりを見せていないことでも明らかである。
【０００４】
また、中敷の芳香機能は、靴を脱いだ時にしか効果が期待できないため、香水のように常に香りを放つお洒落を目的としている場合には、要求を満たしているとは言えなかった。
【０００５】
直接、靴の外側に香水をつけることで、ある程度の芳香効果は期待できるが、靴の臭いと香りが混ざったり、変色等の問題も発生していた。
【先行技術文献】
【特許文献】
【０００６】
【特許文献１】特開平９−２０６１０６号公報
【特許文献２】特開平８−１０７８０１号公報
【非特許文献】
【０００７】
【非特許文献１】実用新案登録第３００９５３４号公報
【非特許文献２】実開平６−１０７号公報
【発明の概要】
【発明が解決しようとする課題】
【０００８】
芳香効果付き中敷は、靴、靴下、足、汗と芳香剤が混じり合い、かえって気分を害する臭いになっていることが多い。
【０００９】
また、中敷タイプでは、外部に香りを発信する構造になっていないなめ、履いている時に外部への芳香効果は期待できない。
【００１０】
サンダル、ミュール等は、中敷を利用できない。
【００１１】
上記の幾つかの問題点は、中敷が元々香りを外部に発信するために提案されたものではないため仕方がないことである。
【００１２】
直接、靴に香水をつけた場合は、靴素材の臭いと香水の香りが混ざることがある。
【００１３】
直接、靴に香水をつけた場合は、香水の成分によって、変色や素材を傷める等の問題も発生することがある。
【００１４】
また、靴につけた香水は、洗うまで香りがとれない、香りを変更できないという問題が発生する。
本発明は、以上のような従来の欠点に鑑み、履いている間も、香りが混ざることなく芳香効果を発揮し、シチュエーションに合わせて簡単に香りを交換することが出来、尚且つ靴のデザインを損ねることがない方法で設置が可能な靴用香水シート取付け具を提供する事を目的としている。
【課題を解決するための手段】
【００１５】
上記目的を達成するために、本発明は、多数の小さな穴を空けた厚紙が一枚程度入る厚みのケースを設ける。  その１辺はシートを入れるために開いている。  裏面には、スニーカー取付け用フックと靴裏面接着用テープを設ける。  スニーカーの場合は、ケースをフックで靴紐に引っ掛ける。  サンダルやビジネス靴等の場合は、靴裏面の土踏まず部分にケースをテープで張り付ける。  香水をつけた厚紙シートをケースに差し込む。  靴用香水シート取付け具は以上のような構成である。
【発明の効果】
【００１６】
以上の説明から明らかなように、本発明にあっては次に列挙する効果が得られる。
（１）靴からお好みの香りを放つためのお洒落具として楽しめる。
【００１７】
（２）香水シートは取替え式なので、シチュエーションに合わせた香りの変更が可能である。  香水シートを外せば香りも消せる。
【００１８】
（３）香水シートは靴に直接触れないため、香りが混ざらない。
【００１９】
（４）香水シートは靴に直接触れないため、靴の変色や素材を傷めることがない。
【００２０】
（５）常に香りを放つことが可能である。そのため、外出先等で、靴を脱いで預ける場合等に効果を発揮する。
【００２１】
（６）靴に設置されているため、歩く動作で確実に香りを周囲に放つが出来る。
【００２２】
（７）足元は鼻から離れているため、香りは刺激的にならず、身体につけた時よりもほのかな香りとなって広がる。
【００２３】
（８）靴の裏面に接着した場合は、靴のデザイン性を損なわない。
【００２４】
（９）様々な靴への取り付けが可能である。
【００２５】
（１０）靴のみでなく、様々な物に設置および使用が可能である。
【図面の簡単な説明】
【００２６】
【図１】本発明の正面図である。
【図２】本発明の右側面図である。
【図３】図１のＡ−Ａ断面図である。
【図４】本発明の香り付けシート図である。
【図５】本発明のケースと香り付けシートの組立て図である。
【図６】実施時のスニーカー等紐靴への取付け位置図である。
【図７】実施時のサンダル等への取付け位置図である。
【図８】実施時のビジネス靴等への取付け位置図である。
【発明を実施するための形態】
【００２７】
以下、本発明の実施の形態を図１、図２、図３、図４、図５に基づいて説明する。
（イ）シート挿入ケース１に、香り通し穴２、シート取出し補助凹み３、シート設置スペース４、シート差込み穴５、スニーカー取付け用フック６、靴裏面接着用テープ７を設ける。
（ロ）香り付けシート８に、好みの香水を付けて、シート差込み穴５からシート設置スペース４へ差し込む。
（ハ）香り通し穴２は、シート挿入ケース１内に差し込んだ香り付けシート８の香りを外部に拡散させるための穴である。
（ニ）シート取出し補助凹み３は、香り付けシート８を取り出しやすくするための凹みである。
（ホ）スニーカー取付け用フック６は、スニーカーの靴紐部に引っ掛けるためものである。
（ヘ）靴裏面接着用テープ７は、サンダルやビジネス靴の土踏まず部分に接着するためのものである。  サンダルやビジネス靴に接着する場合は、スニーカー取付け用フック６を切断する。
（ト）香り付けシート８は、好みの香水を付けるシートであり、使い捨てとなる。
（チ）香り付けシート８は、シート挿入ケース１により、靴と直接接触しない位置関係となっている。
本発明は、以上のような構造である。
【実施例１】
【００２８】
以下、本発明の実施の方法を説明する。
スニーカー等の紐靴の場合、スニーカー取付け用フック６で、図６のように本発明９をスニーカー１０の靴紐部に引っ掛ける。  香り付けシート８に、好みの香水を付けて、シート差込み穴５からシート設置スペース４へ差し込む。  香り付けシート８を取り出す時は、シート取出し補助凹み３に出ている香り付けシート８を引っ張って取り出す。  香り付けシート８は、靴には直接接触しない独立した空間に位置しているため、香りが混ざることはない。  また、香り付けシート８は使い捨てのため、気分やシチュエーションに合わせて簡単に変更することが可能である。
【実施例２】
【００２９】
サンダル等の場合、スニーカー取付け用フック６は使用しないため、シート収納ケース１と繋がっている根元部分から切断する。  靴裏面接着用テープ７で、図７のようにサンダル１１の裏側の土踏まず部分に、シート差込み穴５が上向きになるように本発明９を接着する。  香り付けシート８に、好みの香水を付けて、シート差込み穴５からシート設置スペース４へ差し込む。  香り付けシート８を取り出す時は、シート取出し補助凹み３に出ている香り付けシート８を引っ張って取り出す。  香り付けシート８は、靴には直接接触しない独立した空間に位置しているため、香りが混ざることはない。  また、香り付けシート８は使い捨てのため、気分やシチュエーションに合わせて簡単に変更することが可能である。  靴裏面に取付けるため、靴のデザイン性も損なわない。
【実施例３】
【００３０】
ビジネス靴等の場合、スニーカー取付け用フック６は使用しないため、シート収納ケース１と繋がっている根元部分から切断する。  靴裏面接着用テープ７で、図８のようにビジネス靴１２の裏側の土踏まず部分に本発明９が横向きになるように接着する。  香り付けシート８に、好みの香水を付けて、シート差込み穴５からシート設置スペース４へ差し込む。  香り付けシート８を取り出す時は、シート取出し補助凹み３に出ている香り付けシート８を引っ張って取り出す。  香り付けシート８は、靴には直接接触しない独立した空間に位置しているため、香りが混ざることはない。  また、香り付けシート８は使い捨てのため、気分やシチュエーションに合わせて簡単に変更することが可能である。  靴裏面に取付けるため、靴のデザイン性も損なわない。
【産業上の利用可能性】
【００３１】
本発明は、靴および足元の香りのお洒落を楽しむ分野において利用される。
【符号の説明】
【００３２】
１    シート収納ケース
２    香り通し穴
３    シート取出し補助凹み
４    シート設置スペース
５    シート差込み穴
６    スニーカー取付け用フック
７    靴裏面接着用テープ
８    香り付けシート
９    本発明
１０  スニーカー
１１  サンダル
１２  ビジネス靴
【図１】
2011062266.tif 000003
【図２】
2011062266.tif 000004
【図３】
2011062266.tif 000005
【図４】
2011062266.tif 000006
【図５】
2011062266.tif 000007
【図６】
2011062266.tif 000008
【図７】
2011062266.tif 000009
【図８】
2011062266.tif 000010